(57)【要約】【課題】蓋体の枢支部が開いて外れてしまう恐れがない錠剤収納ケースを提供する。【解決手段】錠剤取出し口１１の設けられた容器本体部材１０と錠剤取出し口を塞ぐカバー部材２０とからなる錠剤収納ケース１００であって、容器本体部材は、対向する表面板１２と裏面板１３とその周端を結ぶ周壁１４からなり、カバー部材は、容器本体部材の表面板と裏面板の外側に、斜めに設けられた対向する表側カバー部２１と裏側カバー部２２と、それぞれの間を結ぶ上端部２３と下端部２４とからなり、カバー部材の表側カバー部と裏側カバー部が、それぞれ、容器本体部材の表面板と裏面板に、回転軸１５ａ、１５ｂと軸受け２５ａ、２５ｂにより回動自在に軸支され、回動することによって錠剤取出し口を開閉する。【選択図】図１
2015048096.tif 000002
【特許請求の範囲】
【請求項１】
錠剤取出し口の設けられた容器本体部材と前記錠剤取出し口を塞ぐカバー部材とからなる錠剤収納ケースであって、
前記容器本体部材は、対向する表面板と裏面板とその周端を結ぶ周壁からなり、
前記カバー部材は、前記容器本体部材の表面板と裏面板の外側に、斜めに設けられた対向する表側カバー部と裏側カバー部と、それぞれの間を結ぶ上端部と下端部とからなり、
前記カバー部材の表側カバー部と裏側カバー部が、それぞれ、前記容器本体部材の表面板と裏面板に、回転軸と軸受けにより回動自在に軸支され、回動することによって前記錠剤取出し口を開閉することを特徴とする錠剤収納ケース。
【請求項２】
前記容器本体部材が、前記表面板を有する表側部品と、前記裏面板を有する裏側部品とからなっていて、嵌合部で一体になるように組み付けられ、前記回転軸と軸受けにより、前記カバー部材の表側カバー部と裏側カバー部とで、前記表側部品と裏側部品とを挟み込んでいることを特徴とする請求項１に記載の錠剤収納ケース。
【請求項３】
前記錠剤取出し口が前記表面板の一隅寄りに設けられ、前記回転軸と軸受けが前記表面板の中央を挟んで前記錠剤取出し口の反対寄り側に設けられていることを特徴とする請求項１または２に記載の錠剤収納ケース。
【請求項４】
前記容器本体部材と前記カバー部材に、前記錠剤取出し口を閉めたときに、嵌り込んで係止する係止部が設けられていることを特徴とする請求項１から３のいずれか１項に記載の錠剤収納ケース。
【請求項５】
前記カバー部材の上端部には、上方に突き出た指掛け部が設けられていることを特徴とする請求項１から４のいずれか１項に記載の錠剤収納ケース。
【発明の詳細な説明】
【技術分野】
【０００１】
本発明は、錠剤収納ケースに関するものである。特に携帯して持ち運びしやすい錠剤収納ケースに関するものである。
【背景技術】
【０００２】
従来から、食品や薬剤などの錠剤を携帯するための容器として、各種の形状ものが提案されている。その代表的なものとして、プラスチックで成形された携帯用のケースが多数提案されている。このようなプラスチックの携帯用ケースでは、元の容器に収納されていた錠剤を充填して収納し、錠剤を取り出すときには、蓋を平行にスライドするか、回動して開いて取り出すようにしている。
【０００３】
例えば、蓋体の両側面部に設けた一対の枢支部を、容器体の両側面に設けた一対の枢支部に枢支すると共に、蓋体の上部前面部に設けた筒状の封止部を、容器体の凹部の前面部に設けた錠剤取出し口に対向するようにして、蓋体を容器体の上部に回動自在として取り付け、蓋体の封止部を容器体の錠剤取出し口に嵌脱自在として、封止部によって錠剤取出し口を開閉自在とした携帯容器がある（特許文献１）。
【０００４】
この携帯容器では、蓋体の両側面部に設けた一対の枢支部を容器体の両側面に設けた一対の枢支部に枢支するようになっているが、蓋体がねじれたりすると、蓋体の一対の枢支部が開いてしまい、外れてしまう恐れがある。
【０００５】
また、この携帯容器は、容器体が、一面が開口した合成樹脂製の偏平状ケース体と、この偏平状ケース体の一面の開口を閉鎖する合成樹脂製の平板状体からなり、偏平状ケース体と平板状体を重ね合わせ、その周辺部を熱溶着しているので、錠剤の充填は錠剤取出し口からしか行えず、充填が面倒である。
【０００６】
また更には、この携帯容器では錠剤取出し口の大きさが容器の厚みより大きくできないので、錠剤取出し口の大きさが携帯容器の厚みに制限されて収納される錠剤の大きさに制限があった。
【０００７】
公知文献を以下に示す。
【先行技術文献】
【特許文献】
【０００８】
【特許文献１】特開２００８−４４６３１号公報
【発明の概要】
【発明が解決しようとする課題】
【０００９】
本発明は上記のような事情に鑑みてなされたもので、蓋体の枢支部が開いて外れてしまう恐れがない錠剤収納ケースを提供することを課題としている。更には、錠剤の充填が容易にでき、携帯容器の厚さより大きな錠剤取出し口を設けることのできる錠剤収納ケースを提供することを課題としている。
【課題を解決するための手段】
【００１０】
本発明は係る課題に鑑みなされたものであり、請求項１の発明は、錠剤取出し口の設けられた容器本体部材と前記錠剤取出し口を塞ぐカバー部材とからなる錠剤収納ケースであって、
前記容器本体部材は、対向する表面板と裏面板とその周端を結ぶ周壁からなり、
前記カバー部材は、前記容器本体部材の表面板と裏面板の外側に、斜めに設けられた対向する表側カバー部と裏側カバー部と、それぞれの間を結ぶ上端部と下端部とからなり、
前記カバー部材の表側カバー部と裏側カバー部が、それぞれ、前記容器本体部材の表面板と裏面板に、回転軸と軸受けにより回動自在に軸支され、回動することによって前記錠剤取出し口を開閉することを特徴とする錠剤収納ケースである。
【００１１】
本発明の錠剤収納ケースは、以上のような構成であって、容器本体部材が、カバー部材の対向する表側カバー部と裏側カバー部とそれぞれの間を結ぶ上端部と下端部により囲まれていて、容器本体部材とカバー部材が外れにくく、形状の安定性が良い。
【００１２】
また、錠剤取出し口を開いたときに、カバー部材の上端部と下端部の少なくとも一方が、容器本体部材に当たって止まるようになるので、余計に回転してしまうことがなく、閉めることも容易にできる。そして、回転軸と軸受けにより回動自在に軸支され、回動することによって前記錠剤取出し口を開閉するので、容易に片手で開閉することができる。
【００１３】
本発明の請求項２の発明は、前記容器本体部材が、前記表面板を有する表側部品と、前記裏面板を有する裏側部品とからなっていて、嵌合部で一体になるように組み付けられ、前記回転軸と軸受けにより、前記カバー部材の表側カバー部と裏側カバー部とで、前記表側部品と裏側部品とを挟み込んでいることを特徴とする請求項１に記載の錠剤収納ケースである。
【００１４】
本発明は、容器本体部材が、表側部品と裏側部品との２つの部品からなり、カバー部材とで３つの部品からなるので、嵌合部で一体になるように組み付けられた表側部品と裏側部品が、回転軸と軸受けにより、前記カバー部材で挟み込まれているので、容器本体部材の表側部品と裏側部品が外れることがない。
【００１５】
本発明の請求項３の発明は、前記錠剤取出し口が前記表面板の一隅寄りに設けられ、前記回転軸と軸受けが前記表面板の中央を挟んで前記錠剤取出し口の反対寄り側に設けられていることを特徴とする請求項１または２に記載の錠剤収納ケースである。
【００１６】
本発明は、錠剤取出し口が表面板の一隅寄りに設けられ、回転軸と軸受けが表面板の中央を挟んで錠剤取出し口の反対寄りに設けられているので、錠剤取出し口を大きく取ることができ、大きな錠剤の収納にも対応できるので、錠剤の大きさに合わせて錠剤取出し口を任意に設定できる。
【００１７】
本発明の請求項４の発明は、前記容器本体部材と前記カバー部材に、前記錠剤取出し口を閉めたときに、嵌り込んで係止する係止部が設けられていることを特徴とする請求項１から３のいずれか１項に記載の錠剤収納ケースである。
【００１８】
本発明はさらに、容器本体部材とカバー部材に、錠剤取出し口を閉めたときに、嵌り込んで係止する係止部が設けられているので、閉めたときに、手に嵌り込んだ感覚が伝わり、閉めたことの確認が出来、安心感もある。
【００１９】
本発明の請求項５の発明は、前記カバー部材の上端部には、上方に突き出た指掛け部が設けられていることを特徴とする請求項１から４のいずれか１項に記載の錠剤収納ケースである。
【００２０】
本発明は、カバー部材の上端部には、上方に突き出た指掛け部が設けられているので、ここに指を掛けて容易にカバー部材を回動させ、錠剤取出し口を開閉することができる。
【発明の効果】
【００２１】
本発明の錠剤収納ケースは、片手で容易に開口できて錠剤を取り出すことが出来、また、錠剤取出し口が開いたときにそれ以上カバー部材が動くことがなく、閉めるのも容易にでき、且つ、形状の安定性が良い。また、カバー部材がねじれて軸受けから回転軸が外れることがない。
【００２２】
内容物の充填作業において、裏側部品に内容物の錠剤を充填した後に、表側部材およびカバー部材をセットできるので、充填作業工程が簡便になる。更には、錠剤取出し口を表面板に設けることによって、容器の厚さより大きな錠剤取出し口を設けることができる。
【図面の簡単な説明】
【００２３】
【図１】本発明の錠剤収納ケースの一例を模式的に示した説明図である。（Ａ）正面図である。（Ｂ）右側面図である。
【図２】本発明の錠剤収納ケースの一例の容器本体部材を模式的に示した説明図である。（Ａ）正面図である。（Ｂ）右側面図である。
【図３】（Ａ）本発明の錠剤収納ケースの一例の容器本体部材の表側部品を内側から見た説明図である。（Ｂ）本発明の錠剤収納ケースの一例の容器本体部材の裏側部品を内側から見た説明図である。
【図４】本発明の錠剤収納ケースの一例のカバー部材を模式的に示した説明図である。（Ａ）正面図である。（Ｂ）右側面図である。
【図５】本発明の錠剤収納ケースの一例の錠剤取出し口を開けた状態を模式的に正面で示した説明図である。
【発明を実施するための形態】
【００２４】
以下、本発明を実施するための形態につき説明する。
図１は、本発明の錠剤収納ケースの一例を模式的に示した説明図で、（Ａ）は、正面図である。（Ｂ）は、右側面図である。図２は、本発明の錠剤収納ケースの一例の容器本体部材を模式的に示した説明図で、（Ａ）は、正面図である。（Ｂ）は、右側面図である。図３（Ａ）は、本発明の錠剤収納ケースの一例の容器本体部材の表側部品を内側から見た説明図である。（Ｂ）は、本発明の錠剤収納ケースの一例の容器本体部材の裏側部品を内側から見た説明図である。図４は、本発明の錠剤収納ケースの一例のカバー部材を模式的に示した説明図で、（Ａ）は、正面図である。（Ｂ）は、右側面図である。
【００２５】
本発明の一例の錠剤収納ケース１００は、図１（Ａ）の正面図、（Ｂ）の右側面図に示すように、容器本体部材１０と、カバー部材２０とからなっている。容器本体部材１０には、錠剤取出し口１１が設けられていて、カバー部材２０で錠剤取出し口１１を開閉自在に塞げるようになっている。
【００２６】
図２（Ａ）、（Ｂ）のように、容器本体部材１０は、対向する表面板１２と裏面板１３と、その周端を結ぶ周壁１４からなっている。本例では、錠剤取出し口１１が表面板１２の一隅に設けられているが、錠剤取出し口１１を表面板１２の他の部分や、裏面板１３あるいは周壁１４に設けることも可能である。
【００２７】
また、容器本体部材１０には、カバー部材２０と軸支される回転軸１５ａ、１５ｂが表面板１２と裏面板１３の外面に、それぞれ、対向して設けられている。また、裏面板１３には、錠剤取出し口を閉めたときに、カバー部材２０に設けられた係止くぼみ部に嵌り込んで係止する係止突起部１６が設けられ、係止突起部１６がカバー部材２０の係止くぼみ部に嵌り込むことによって、係止部１が形成される。
【００２８】
容器本体部材１０は、表側部品１０ａと裏側部品１０ｂとからなっている。図３（Ａ）は、表側部品１０ａを内側から見た図である。表側部品１０ａは、錠剤取出し口１１が設けられた表面板１２と、周壁１４の縦半分の表側周壁１４ａとからなっている。表面板１２の内側に、円柱状で中央に穴が設けられた嵌合突起１７ａが設けられている。また、表面板１２の外面側に、回転軸１５ａが設けられている。
【００２９】
図３（Ｂ）は、裏側部品１０ｂを内側から見た図である。裏側部品１０ｂは、裏面板１３と、周壁１４の縦半分の裏側周壁１４ｂとからなっている。裏面板１３の内側には、円柱状で中央に更なる突起が設けられた嵌合突起１７ｂが設けられている。
【００３０】
この嵌合突起１７ｂの中央の突起が、表側部品１０ａの円柱状で中央に穴が設けられた嵌合突起１７ａの穴に嵌り込んで嵌合部１７を形成して、表側部品１０ａと裏側部品１０ｂを一体化するようになっている。
【００３１】
裏面板１３の外側には、回転軸１５ｂが設けられている。この回転軸１５ｂと表面板１２の回転軸１５ａにより、カバー部材２０を回動自在に軸支するようになっている。そのため、容易にカバー部材２０を回動させ、錠剤取出し口１１を開閉することができる。
【００３２】
また更に、裏面板１３の外側には、カバー部材２０に設けられた係止くぼみ部に嵌り込んで係止する係止突起部１６が設けられ、係止くぼみ部に係止突起部１６が嵌り込んで係止部１が形成されるようになっている。
【００３３】
カバー部材２０は、図４（Ａ）、（Ｂ）のように、表側カバー部２１と裏側カバー部２２と、それぞれの間を結ぶ上端部２３と下端部２４からなっている。図１のように、表側カバー部２１と裏側カバー部２２は、容器本体部材１０の錠剤取出し口１１のある隅部の２辺の一部に沿って上部が形成され、下部は反対側の隅部の２辺の一部に沿って形成されていて、その間が斜めに形成されている。
【００３４】
表側カバー部２１と裏側カバー部２２には、円形の貫通孔による軸受け２５ａ、２５ｂがそれぞれ設けられている。この軸受け２５ａ、２５ｂに、容器本体部材１０の回転軸１５ａ、１５ｂが嵌り込んで、容器本体部材１０にカバー部材２０が回動自在に軸支される様になっている。また、反対に容器本体部材１５ａ、１５ｂの箇所に軸受けを設け、カバー部材２０の軸受け２５ａ、２５ｂの箇所に回転軸を設けることも可能である。
【００３５】
このように、カバー部材２０の表側カバー部２１と裏側カバー部２２と、上端部２３と下端部２４で容器本体部材１０を囲むように形成されているので、容器本体部材１０からカバー部材２０が外れにくく、形状が安定している。
【００３６】
また、容器本体部材１０の表側部品１０ａと裏側部品１０ｂの回転軸１５ａ、１５ｂをカバー部材２０の軸受け２５ａ、２５ｂで挟み込んでいるので、表側部品１０ａと裏側部品１０ｂの嵌合が外れてしまう恐れがない。
【００３７】
容器本体部材１０の回転軸１５ａ、１５ｂは、表側部品１０ａ、裏側部品１０ｂの任意の箇所に設けられるが本例の錠剤収納ケース１００では、容器本体部材１０の錠剤取出し口１１のある隅部と反対側の隅部の間で、隅部と反対側の隅部の間の中心よりも反対側の隅部寄りに設けられている。これに合わせて、カバー部材２０の軸受け２５ａ、２５ｂを設けている。
【００３８】
そのため、カバー部材２０を軸受け２５ａ、２５ｂを中心に回動させると、錠剤取出し口１１のある隅部が大きく動くので、錠剤取出し口１１を大きく形成することが可能とな
り、大きな錠剤を収納することができる。
【００３９】
また、軸受け２５ａ、２５ｂに回転軸１５ａ、１５ｂを嵌り込みやすくするために、表側カバー部２１と裏側カバー部２２の内面に溝２６ａ、２６ｂが、右端から軸受け２５ａ、２５ｂに至るように設けられている。
【００４０】
カバー部材２０の上端部２３には、上方に突き出た指掛け部２７が設けられている。そのため、片手で持って、指掛け部２７に親指や人差し指などの指を掛けて容易にカバー部材２０を回動させ、錠剤取出し口１１を開閉することができる。
【００４１】
また、裏側カバー部２２には、係止くぼみ部２８が設けられていて、容器本体部材１０の錠剤取出し口１１をカバー部材２０で閉じたときに、前述の裏面板１３の係止突起部１６が、係止くぼみ部２８に嵌り込み、係止部１を形成するようになっている。このため、閉めたときに、手に閉めた感覚が伝わり、閉めたことの確認が出来、安心できる。尚、係止突起部１６及び係止くぼみ部２８を設けることは任意である。
【００４２】
次に、この錠剤収納ケースの使用方法について説明する。
図５は、本発明の錠剤収納ケースの一例の錠剤取出し口を開けた状態を模式的に正面で示した説明図である。
【００４３】
図３（Ａ）、図３（Ｂ）のように、容器本体部材１０の表側部品１０ａと裏側部品１０ｂを開いて、どちらかに錠剤を入れて、表側部品１０ａと裏側部品１０ｂを重ね合わせ、嵌合突起１７ａと嵌合突起１７ｂを嵌合させて組み合わせ、一体となった容器本体部材１０とし、この容器本体部材１０にカバー部材２０を取り付ける。
【００４４】
このとき、図２（Ａ）の容器本体部材１０の左側より、図１（Ａ）のカバー部材２０を覆うように取り付けていくが、溝２６ａ、２６ｂに回転軸１５ａ、１５ｂが入り込むようにして被せていき、回転軸１５ａ、１５ｂが軸受け２５ａ、２５ｂに嵌るようにする。
【００４５】
このようにすると、容易に容器本体部材１０にカバー部材２０を取り付けることができる。そして、錠剤が詰められた錠剤収納ケース１００が、図１のように組み立てられる。また、溝２６ａ、２６ｂがなくても、容器本体部材１０にカバー部材２０を取り付けることは可能である。
【００４６】
次に、錠剤収納ケース１００内の錠剤を取り出すには、指掛け部２７があるので、片手で持って、その親指や人差し指などで指掛け部２７を、図１の右側から左に動かすことができ、回転軸１５ａ、１５ｂと軸受け２５ａ、２５ｂを中心にカバー部材２０を回動させることができる。
【００４７】
このようにすると、回動するカバー部材２０の上端部２３と下端部２４の少なくとも一方が、容器本体部材１０に当たって、回転が止まり、図５のように、錠剤取出し口１１が現れ、錠剤収納ケース１００内の錠剤を取り出すことができる。
【００４８】
錠剤収納ケース１００内の錠剤を取り出した後、閉めるには、指掛け部２７を、図５の左側から押して、係止突起部１６が係止くぼみ部２８に嵌るまでカバー部材２０を回動させる。これにより錠剤取出し口１１は、カバー部材２０で閉じられる。そして、係止突起部１６が係止くぼみ部２８に嵌り込んだ感覚が、手に伝わり、閉めたことが確認できる。また、指掛け部２７を設けることは任意である。
【００４９】
本例では、錠剤取出し口１１を表面板１２に設けたが、本発明においては、錠剤取出し
口１１を設ける位置を表面板１２に限定するものではない。裏面板１３に設けても良いし、周壁１４に設けても良い。周壁１４に設ける場合、カバー部材２０の上端部２３や下端部２４で開閉できる位置に錠剤取出し口１１を設ければ良い。
【００５０】
また、本例では、容器本体部材１０を、周壁１４の縦半分の表側周壁１４ａが表面板１２と一体となった表側部品１０ａと、周壁１４の縦半分の裏側周壁１４ｂが裏面板１３と一体となった裏側部品１０ｂとを嵌合させて組み立てるようにしているが、本発明においては、必ずしもこれに限られるものではない。
【００５１】
例えば、表面板１２のみに周壁１４が一体となっていて、周壁１４に裏面板１３を嵌合させて容器本体部材１０を組み立てるようにしても良いし、また、その逆に、裏面板１３のみに周壁１４が一体となっていて、周壁１４に表面板１２を嵌合させて容器本体部材１０を組み立てるようにしても良い。
【００５２】
更にまた、本例では、回転軸が容器本体部材１０に設けられ、軸受けがカバー部材２０に設けられているが、回転軸をカバー部材２０に、軸受けを容器本体部材１０に設けても良い。また、軸受けを貫通孔にせずに、窪んだ底のある円柱形の穴にしても良い。
【００５３】
本発明の錠剤収納ケースの容器本体部材やカバー部材は、合成樹脂によって作ることができるがこれに限定されない。合成樹脂としては、熱可塑性樹脂でも熱硬化性樹脂でも良いが、適度な剛性のある樹脂が好ましい。ポリエステル系樹脂やスチレン系樹脂、アクリル系樹脂などが好適に使用できる。
【００５４】
本発明で収納される錠剤としては、成形されて形状がほぼ均一の粒状であれば特に限定されない。また、薬剤に限らず、菓子などの錠剤であってもかまわない。
【符号の説明】
【００５５】
１００・・・錠剤収納ケース
１０・・・容器本体部材
１０ａ・・・表側部品
１０ｂ・・・裏側部品
１１・・・錠剤取出し口
１２・・・表面板
１３・・・裏面板
１４・・・周壁
１４ａ・・・表側周壁
１４ｂ・・・裏側周壁
１５ａ、１５ｂ・・・回転軸
１６・・・係止突起部
１・・・係止部
１７・・・嵌合部
１７ａ・・・嵌合突起
１７ｂ・・・嵌合突起
２０・・・カバー部材
２１・・・表側カバー部
２２・・・裏側カバー部
２３・・・上端部
２４・・・下端部
２５ａ、２５ｂ・・・軸受け
２６ａ、２６ｂ・・・溝
２７・・・指掛け部
２８・・・係止くぼみ部
【図１】
2015048096.tif 000003
【図２】
2015048096.tif 000004
【図３】
2015048096.tif 000005
【図４】
2015048096.tif 000006
【図５】
2015048096.tif 000007